(57)【要約】【課題】  建物内に設置された複数台のエレベータに対し、群管理による通常運転のための制御を行いつつ、複数台で同時に遠隔診断運転を実施させるためのエレベータの遠隔診断運転方法、エレベータ群管理装置、及びエレベータの遠隔診断運転プログラムを提供する。【解決手段】  実施形態によればエレベータの群管理装置は、複数台のエレベータを群管理しつつ、予め設定されたタイミングで複数台のエレベータの機器の動作状態を診断するための遠隔診断運転を実行させる。群管理装置は、複数台のエレベータで呼びが発生していないときに各乗りかごを建物内の異なる階床に分散させて待機させ、遠隔診断運転の実行タイミングが到来すると、各乗りかごを、待機時に着床させた階床から同一の周回方向に１階床ずつ移動させることで全階床に順次着床させつつ、着床した各階床においてドア開閉診断を実行させる。【選択図】図１
2019104610.tif 000002
【特許請求の範囲】
【請求項１】
建物内に設置された複数台のエレベータを群管理しつつ、予め設定されたタイミングで前記複数台のエレベータの機器の稼動状態を診断するための遠隔診断運転を実行させるエレベータ群管理装置が、
前記複数台のエレベータで呼びが発生していないときに、前記複数台のエレベータの乗りかごを前記建物内の異なる階床に分散させて待機させ、前記遠隔診断運転の実行タイミングが到来すると、各乗りかごを、待機時に着床させた階床から同一の周回方向に１階床ずつ移動させることで全階床に順次着床させつつ、着床した各階床において各乗りかごのドア開閉動作が正常に行われるか否かを判定するためのドア開閉診断を実行させる
ことを特徴とするエレベータの遠隔診断運転方法。
【請求項２】
前記エレベータ群管理装置は、前記ドア開閉診断において、前記複数台のエレベータの乗りかごがそれぞれ着床している階床で前記ドア開閉診断を実行させた後、前記複数台のエレベータの中で予めマスター号機として設定されたエレベータの乗りかごを次の階床に移動および着床させ、これに追従させて他のエレベータの乗りかごを次の階床に移動および着床させてそれぞれ移動先の階床でドア開閉診断を実行させる
ことを特徴とする請求項１に記載のエレベータの遠隔診断運転方法。
【請求項３】
前記エレベータ群管理装置は、前記ドア開閉診断の実行中にいずれかの階床で乗場呼び操作が行われると、前記複数台のエレベータの乗りかごの位置に基づいて選択した号機を前記乗場呼びに応答させ、応答が終了すると、前記乗場呼びに応答しなかった場合の当該乗りかごの現在位置を判断し、判断した位置に当該乗りかごを移動させて前記ドア開閉診断を再開させる
ことを特徴とする請求項１または２に記載のエレベータの遠隔診断運転方法。
【請求項４】
前記エレベータ群管理装置は、ドア開閉診断の実行中、診断終了の予定時刻まで所定時間以内のときに乗場呼びが発生した場合には、ドア開閉診断が終了してから、いずれかの号機を当該乗場呼びに応答させる
ことを特徴とする請求項３に記載のエレベータの遠隔診断運転方法。
【請求項５】
前記複数台のエレベータの中の少なくとも１台が、該当する乗りかごの２方向にかごドアを有し、各階床の乗場に前記２方向のいずれかに対応した乗場ドアを有する２方向エレベータであり、
前記エレベータ群管理装置は、前記２方向エレベータの乗りかごが着床した階床において、乗場ドアがある方向のかごドアのドア開閉診断を実行させる
ことを特徴とする請求項１〜４いずれか１項に記載のエレベータの遠隔診断運転方法。
【請求項６】
前記複数台のエレベータの中の少なくとも１台が、乗場ドアが設置されていない不停止階を含むエレベータであり、
前記エレベータ群管理装置は、前記不停止階を含むエレベータの乗りかごが、乗場ドアが設置されていない階床に着床したときには、当該エレベータにはドア開閉診断を実行させない
ことを特徴とする請求項１〜５いずれか１項に記載のエレベータの遠隔診断運転方法。
【請求項７】
前記エレベータ群管理装置は、同一のサービス階床群が設定された複数バンクのエレベータをそれぞれ群管理対象とし、バンクごとに異なるタイミングで、前記ドア開閉診断を実行させる
ことを特徴とする請求項１〜６いずれか１項に記載のエレベータの遠隔診断運転方法。
【請求項８】
請求項１〜７いずれか１項に記載の遠隔診断運転方法を実行することを特徴とするエレベータ群管理装置。
【請求項９】
請求項１〜７いずれか１項に記載の遠隔診断運転方法を、エレベータの遠隔診断装置で実行させるためのエレベータの遠隔診断運転プログラム。
【発明の詳細な説明】
【技術分野】
【０００１】
本発明の実施形態は、エレベータの遠隔診断運転方法、エレベータ群管理装置、及びエレベータの遠隔診断運転プログラムに関する。
【背景技術】
【０００２】
従来、建物に設置されたエレベータに対し、通信ネットワークを介して遠隔監視センタから遠隔診断運転信号を送信し、エレベータ制御装置内に備えられた診断プログラムを起動させることで、エレベータの遠隔診断運転を実施している。このような遠隔診断運転を所定時間ごとに実施することで、保守員が直接エレベータに出向いて点検作業を行うことなく、保守管理を行うことができる。
【先行技術文献】
【特許文献】
【０００３】
【特許文献１】特開２０１０−４７４０９号公報
【発明の概要】
【発明が解決しようとする課題】
【０００４】
上述したような遠隔診断運転を、複数台のエレベータを群管理する建物で実施する場合には、各エレベータを順次１台ずつ群管理から切り離して遠隔診断運転を実施する。このように処理することにより、遠隔診断運転中のエレベータに乗場呼びが割り当てられることが回避され、遠隔診断運転をスムーズに実施することができる。
【０００５】
しかし、各エレベータを順次１台ずつ群管理から切り離して遠隔診断運転を行うと、群管理するエレベータの台数が多い建物ではすべてのエレベータの遠隔診断運転が終了するまでに長時間を要してしまうという問題があった。
【０００６】
本発明は上記事情に鑑みてなされたものであり、建物内に設置された複数台のエレベータに対し、群管理による通常運転のための制御を行いつつ、複数台で同時に遠隔診断運転を実施させるためのエレベータの遠隔診断運転方法、エレベータ群管理装置、及びエレベータの遠隔診断運転プログラムの提供を目的とする。
【課題を解決するための手段】
【０００７】
上記目的を達成するための実施形態によればエレベータの群管理装置は、複数台のエレベータを群管理しつつ、予め設定されたタイミングで複数台のエレベータの機器の稼動状態を診断するための遠隔診断運転を実行させる。群管理装置は、複数台のエレベータで呼びが発生していないときに各乗りかごを建物内の異なる階床に分散させて待機させ、遠隔診断運転の実行タイミングが到来すると、各乗りかごを、待機時に着床させた階床から同一の周回方向に１階床ずつ移動させることで全階床に順次着床させつつ、着床した各階床においてドア開閉診断を実行させる。
【図面の簡単な説明】
【０００８】
【図１】一実施形態によるエレベータの群管理装置を利用した遠隔診断システムの構成を示す全体図。
【図２】一実施形態によるエレベータの群管理装置の構成を示すブロック図。
【図３】一実施形態によるエレベータの群管理装置の動作を示すフローチャート。
【図４】一実施形態によるエレベータの群管理装置の制御による各エレベータの乗りかごの移動順路を示す説明図。
【発明を実施するための形態】
【０００９】
以下、本発明の実施形態による遠隔診断システムについて、図面を参照して説明する。本実施形態による遠隔診断システムは、エレベータに自動で診断運転を実行させることにより、当該エレベータ内の各機器の稼動状態を遠隔から診断するためのシステムである。以下、遠隔から各機器の稼動状態を診断するためにエレベータに自動で実行させる診断運転を、「遠隔診断運転」と称して説明する。
【００１０】
以下の実施形態では遠隔診断運転により、ドアの開閉診断、昇降路内に設置されたリミットスイッチのＯＮ／ＯＦＦ動作診断、巻上げ機に備えられたブレーキの動作診断や、各階床における乗りかごの着床位置診断等を実行する。
【００１１】
〈一実施形態によるエレベータの遠隔診断システムの構成〉
本発明の一実施形態によるエレベータの遠隔診断システムの構成について、図１を参照して説明する。本実施形態によるエレベータの遠隔診断システム１は、監視センタ装置１０と、監視センタ装置１０に通信ネットワークを介して接続され、遠隔監視対象の７階建ての建物内に設置された遠隔監視装置２０と、当該建物内に設置された第１エレベータ３０−１、第２エレベータ３０−２、第３エレベータ３０−３、および第４エレベータ３０−４と、建物内の１階〜７階それぞれのエレベータ乗場に設置され、これらの第１エレベータ３０−１〜第４エレベータ３０−４で共有される乗場操作盤４１−１〜４１−７、４２−１〜４２−７、および４３−１〜４３−７と、遠隔監視装置２０、第１エレベータ３０−１〜第４エレベータ３０−４、および乗場操作盤４１−１〜４１−７、４２−１〜４２−７、４３−１〜４３−７に接続された群管理装置５０とを備える。以下、第１エレベータ３０−１〜第４エレベータ３０−４の中のいずれかが特定されないときには、エレベータ３０と記載する。また、乗場操作盤４１−１〜４１−７、４２−１〜４２−７、４３−１〜４３−７のうちいずれかが特定されないときには、乗場操作盤４１、４２、４３と記載する。
【００１２】
監視センタ装置１０は、第１エレベータ３０−１〜第４エレベータ３０−４内の機器の稼動状態を遠隔から診断するための遠隔診断スケジュールデータを遠隔監視装置２０に送信する。また、監視センタ装置１０は、第１エレベータ３０−１〜第４エレベータ３０−４で実行された遠隔診断の結果情報を受信して出力する。遠隔監視装置２０は、監視センタ装置１０から受信した遠隔診断スケジュールデータに従い、第１エレベータ３０−１〜第４エレベータ３０−４の遠隔診断運転の実行タイミングが到来したと判断すると診断処理実行指令を生成し、群管理装置５０に出力する。
【００１３】
第１エレベータ３０−１は、昇降路上部に設置された巻上げ機３１−１と、巻上げ機３１−１に吊り下げられた乗りかご３２−１と、巻上げ機３１−１および乗りかご３２−１に接続された第１エレベータ制御装置３３−１とを有する。第２エレベータ３０−２〜第４エレベータ３０−４も同様に、それぞれ巻上げ機３１−２〜３１−４と、乗りかご３２−２〜３２−４と、第２エレベータ制御装置３３−２〜３３−４とを有する。乗りかご３２−１、３２−２、３２−３、３２−４はそれぞれ、かごドア３２１−１、３２１−２、３２１−３、３２１−４を有する。以下、巻き上げ機３１−１〜３１−４のいずれかが特定されないときには、巻き上げ機３１と記載する。同様に、乗りかご３２−１〜３２−４のいずれかが特定されないときには乗りかご３２と記載し、エレベータ制御装置３３−１〜３３−４のいずれかが特定されないときにはエレベータ制御装置３３と記載し、かごドア３２１−１〜３２１−４のいずれかが特定されないときにはかごドア３２１と記載する。
【００１４】
群管理装置５０は、待機階情報保持部５１と、診断運転情報保持部５２と、かご位置情報取得部５３と、乗場呼び登録部５４と、運転モード切替部５５と、応答かご決定部５６と、運転指令部５７とを有する。
【００１５】
待機階情報保持部５１は、第１エレベータ３０−１〜第４エレベータ３０−４で呼びが発生していないときに、これらのエレベータ３０−１〜４０−４の乗りかご３２−１〜３２−４を建物内の異なる階床に分散させて待機させるための待機階情報を保持する。診断運転情報保持部５２は、第１エレベータ３０−１〜第４エレベータ３０−４に遠隔診断運転を実行させるための遠隔診断運転プログラムを保持する。かご位置情報取得部５３は、所定時間間隔で第１エレベータ制御装置３３−１〜第４エレベータ制御装置３３−４から、それぞれの乗りかご３２−１〜３２−４の位置情報を取得する。乗場呼び登録部５４は、乗場操作盤４１−１〜４１−７、４２−１〜４２−７、４３−１〜４３−７の操作情報に基づいて、該当する階床の乗場呼びを登録する。
【００１６】
運転モード切替部５５は、通常時は群管理装置５０内を通常運転モードで運転させ、遠隔監視装置２０から診断処理実行指令を取得すると、遠隔診断運転モードに切り替える。応答かご決定部５６は、乗場呼び登録部５４に乗場呼びが登録されると、かご位置情報取得部５３で取得された乗りかご３２−１〜３２−４の位置情報に基づいて、当該乗場呼びに応答させる乗りかごを決定する。運転指令部５７は、通常運転モード時に呼びが発生していないときには、待機階情報に基づいて乗りかご３２−１〜３２−４を異なる階床に分散させて待機させ、乗場呼びが登録されると、応答かご決定部５６で決定された乗りかごを当該乗場呼びに応答させるための運転指令を生成し、該当するエレベータ制御装置３３に送信する。また運転指令部５７は、遠隔診断運転モード時は、診断運転情報保持部５２に保持された遠隔診断運転プログラムに従って、エレベータ制御装置３３−１〜３３−４に遠隔診断を実行させるための運転指令を送信する。
【００１７】
〈一実施形態によるエレベータの遠隔診断システムの動作〉
次に、本実施形態による遠隔診断システム１の動作について、図３のフローチャートを参照して説明する。群管理装置５０が通常運転モードで稼働しているときには（Ｓ１）、いずれかの乗場操作盤４１、４２、４３で乗場呼び操作が行われると、乗場呼び登録部５４に該当する階床の乗場呼びが登録される（Ｓ２の「YES」）。乗場呼びが登録されると、応答かご決定部５６において、かご位置情報取得部５３で取得された乗りかご３２−１〜３２−３の位置情報に基づいて、当該乗場呼びに応答させる乗りかごが決定される。そして、運転指令部５７により、応答かご決定部５６で決定された乗りかごを当該乗場呼びに応答させるための運転指令が生成され、該当するエレベータ制御装置３３に送信される。乗場呼びに応答させるための運転指令を取得したエレベータ制御装置３３では、当該運転指令に基づいて、乗場呼び操作が行われた階床に乗りかご３２が移動され、乗場呼びへの応答が行われる（Ｓ３）。乗場呼びへの応答が終了した後、乗りかご３２に乗り込んだ利用者がかご内操作盤（図示せず）で行先階指定操作を行うと、乗りかご３２が当該指定階に移動する。
【００１８】
そして、第１エレベータ３０−１〜第４エレベータ３０−４内で呼びが発生していない状態になると、乗りかご３２−１〜３２−３が待機状態に移行する。このとき、乗りかご３２−１〜３２−３はそれぞれ、待機階情報保持部５１に保持された待機階情報に基づいて異なる階に分散されて待機状態となる（Ｓ４）。ここでは、次にいずれの階床で乗場呼びが発生しても迅速に応答できるように、図３に示すように、乗りかご３２−１が５階、乗りかご３２−２が６階、乗りかご３２−３が３階、乗りかご３２−４が１階に、分散されて待機状態となる。
【００１９】
上述したように群管理装置５０の制御により第１エレベータ３０−１〜第４エレベータ３０−４が通常運転する一方で、監視センタ装置１０から遠隔診断スケジュールデータが遠隔監視装置２０に送信され、遠隔監視装置２０に保持される。遠隔監視装置２０では、当該遠隔診断スケジュールデータに従って第１エレベータ３０−１〜第４エレベータ３０−４の遠隔診断運転の実行タイミングが到来したか否かが監視される。遠隔診断スケジュールデータでは、例えば、毎月１日午後０時が遠隔診断運転の実行タイミングとして設定されている。
【００２０】
遠隔監視装置２０により、第１エレベータ３０−１〜第４エレベータ３０−４の遠隔診断運転の実行タイミングが到来したと判断されると、診断処理実行指令が生成され、群管理装置５０に送信される。群管理装置５０では、診断処理実行指令が取得されると（Ｓ５）、運転モード切替部５５により、群管理装置５０内が通常運転モードから遠隔診断運転モードに切り替えられる（Ｓ６）。
【００２１】
遠隔診断運転モードに切り替えられると、運転指令部５７により診断運転情報保持部５２に保持された遠隔診断運転プログラムが実行される。遠隔診断運転プログラムの中には、各階床でドア開閉動作が正常に行われるか否かを判定するためのドア開閉診断運転の実行プログラムが含まれる。ドア開閉診断運転では、各乗りかご３２−１〜３２−４が、待機時に着床した階床から同一の周回方向に１階床ずつ移動させることで全階床に順次着床させつつ、着床した各階床において各乗りかご３２−１〜３２−４のかごドア３２１−１〜３２１−４および乗場ドア（図示せず）のドア開閉診断が実行される（Ｓ７）。
【００２２】
ドア開閉診断運転の一例を、図４を参照して説明する。本実施形態においては、乗りかご３２−１〜３２−４を、待機時に着床した階床から、それぞれ最上階に向かって上方向に１階床ずつ移動させ、最上階に到達すると最下階まで直行で移動させ、さらに開始した階床まで上方向に１階床ずつ移動させつつ、ドア開閉診断を実行するように設定されている。また、乗りかご３０の移動の際には、マスター号機として予め設定された乗りかご３２−１をまず次の着床階に移動させ、これに追従させて、乗りかご３２−２→乗りかご３２−３→乗りかご３２−４の順に次の着床階に移動させるように設定されている。
【００２３】
これに従い、まず、第１エレベータ３０−１の乗りかご３２−１のかごドア３２１−１が、待機中の５階で戸開閉され、ドア開閉診断が実行される。同様に、第２エレベータ３０−２の乗りかご３２−２のかごドア３２１−２が待機中の６階で戸開閉され、第３エレベータ３０−３の乗りかご３２−３のかごドア３２１−３が３階で戸開閉され、第４エレベータ３０−４の乗りかご３２−４のかごドア３２１−４が１階で戸開閉されることで、ドア開閉診断が実行される。
【００２４】
すべてのかごドア３２１−１〜３２１−４でドア開閉診断が実行済みとなると、乗りかご３２−１が１階床上の６階に移動され、これに追従して、乗りかご３２−２が１階床上の７階に移動され、乗りかご３２−３が４階に移動され、乗りかご３２−４が２階に移動される。そして、それぞれ移動先の階床で、各乗りかご３２−１〜３２−４のドア開閉診断が実行される。このようにして、乗りかご３２−１〜３２−４をすべての階床に順次着床させつつ、着床した各階床においてドア開閉診断が実行される。このようにマスター号機の移動に他の号機を追従させて移動させることにより、乗りかご３２−１〜３２−４を異なる階に分散させた状態を維持したまま、同時にドア開閉診断を実行させることができる。
【００２５】
ここで、ドア開閉診断運転の実行中に、いずれかの階床で利用者により乗場呼び操作が行われると、乗場呼び登録部５４に該当する階床の乗場呼びが登録される（Ｓ８の「YES」）。乗場呼びが登録されると、応答かご決定部５６において、かご位置情報取得部５３で取得された各乗りかご３２−１〜３２−４の位置情報に基づいて当該乗場呼びに応答させる乗りかごが決定される。ここでは、当該乗場呼びに応答したときの運転効率が最も高い号機の乗りかご３２か、当該乗場呼び操作が行われた階床に最も近い位置にある乗りかご３２が、当該乗場呼びに応答させる乗りかごとして決定される。このとき、車椅子対応号機等の所定機能を有する乗りかご３２の中から選択されてもよい。また、当該乗場呼び操作が行われた階床に最も近い位置にある乗りかご３２を応答させる際に、当該乗場呼び操作で指定された方向と同方向に移動中の乗りかごの中から、応答させる乗りかご３２を選択するようにしてもよい。
【００２６】
一例として、ドア開閉診断運転の開始直後に、１階で上方向の乗場呼び操作が行われた場合について説明する。この場合、第４エレベータ３０−４の乗りかご３２−４が１階にあり乗場呼び操作階に最も近いと判断され、応答かご決定部５６により当該乗場呼びに応答させる乗りかごとして決定される。そして、運転指令部５７により、乗りかご３２−４を当該乗場呼びに応答させるための運転指令が生成され、該当するエレベータ制御装置３３−４に送信される。
【００２７】
エレベータ制御装置３３−４では、当該運転指令に基づいて、乗場呼びへの応答が行われる（Ｓ９）。乗場呼びへの応答が終了した後、乗りかご３２−４に乗り込んだ利用者がかご内操作盤（図示せず）で行先階指定操作を行うと、乗りかご３２−４が当該指定階に移動する。乗りかご３２−４がこれらの呼びに応答している間、他の乗りかご３２−１〜３２−３においては、順次階床を移動しながらドア開閉診断が行われている。
【００２８】
乗りかご３２−４による呼びへの応答が終了すると、当該乗りかご３２−４が乗場呼びに応答しなかった場合の当該乗りかご３２−４の現在位置が運転指令部５７で判断される。当該乗りかご３２−４の現在位置は、現時点における他の乗りかご３２−１〜３２−３の位置情報から判断される。例えば、各乗りかご３２−１〜３２−３がドア開閉診断開始から３階床分先の階床にある場合、つまり、乗りかご３２−１が１階、乗りかご３２−２が２階、乗りかご３２−３が６階にある場合には、乗りかご３２−４が乗場呼びに応答しなかった場合の現在位置は、１階から３階床分先の４階と判断される。そして、判断された４階に当該乗りかご３２−４が移動され、ドア開閉診断が再開される（Ｓ１０）。
【００２９】
その後、ドア開閉診断運転により各乗りかご３２−１〜３２−４が最初の待機階に戻り、建物内の階床を１周すると（Ｓ１１の「YES」）、運転指令部５７により、ドア開閉診断を実行していない階床があるエレベータ３０があるか否かが判定される（Ｓ１２）。ここでは、乗りかご３２−４がドア開閉診断運転中に乗場呼びに応答したことにより、第４エレベータ３０−４において２階および３階ドア開閉診断を実行していないと判定される。第４エレベータ３０−４で未実行の階床があると判定されると（Ｓ１２の「YES」）、未実行の２階および３階に乗りかご３２−４が順次移動され、それぞれの階床でドア開閉診断が実行される（Ｓ１３）。このようにして、全号機で、すべての階床でドア開閉診断が実行される。実行されたドア開閉診断の結果情報は群管理装置５０で取得され、遠隔監視装置２０を介して監視センタ装置１０に送信される。監視センタ装置１０では、取得された遠隔診断の結果情報が出力されることで、監視員が第１エレベータ３０−１〜第４エレベータ３０−４の稼動状態を認識することができる。
【００３０】
以上の実施形態によれば、建物内に設置された複数台のエレベータに対し、群管理による通常運転のための制御を行いつつ、複数台で同時に遠隔診断運転を実施させることができ、ドア開閉診断にかかる時間を短縮することができる。その際、複数台の乗りかごが建物内に分散した状態を維持しながら遠隔診断運転のドア開閉診断運転が実行されるため、診断運転中に乗場呼びが発生した場合に迅速にいずれかの乗りかごを応答させることができる。
【００３１】
上述した実施形態において、建物内の複数台のエレベータの中の少なくとも１台が、該当する乗りかごの２方向にかごドアを有し、各階床の乗場に当該２方向のいずれかに対応した乗場ドアを有する２方向エレベータである場合には、群管理装置５０が、当該２方向エレベータの乗りかごが着床した階床において、乗場ドアがある方向のかごドアのドア開閉診断を実行させるようにすることで、ドア開閉診断運転への対応が可能である。
【００３２】
また、上述した実施形態において、建物内の複数台のエレベータの中の少なくとも１台が、乗場ドアが設置されていない不停止階を含むエレベータである場合には、群管理装置５０は、不停止階を含むエレベータの乗りかごが、乗場ドアが設置されていない階床に着床したときには、当該エレベータにはドア開閉診断を実行させないようにすることで、ドア開閉診断運転への対応が可能である。
【００３３】
また、上述した実施形態において、建物内に設置された、同一のサービス階床群が設定された複数バンクのエレベータをそれぞれ群管理対象としている場合には、バンクごとに異なるタイミングで、ドア開閉診断を実行させるようにしてもよい。バンクごとにドア開閉診断を実行させることにより、ドア開閉診断を実行中のバンクではなるべく乗場呼びへの応答を行わないようにして、効率よく診断処理を行うことができる。
【００３４】
また、上述した実施形態において、ドア開閉診断の実行中、診断終了の予定時刻まで所定時間以内（例えば１分以内）のときに乗場呼びが発生した場合には、ドア開閉診断が終了してから当該乗場呼びに応答するようにしてもよい。このように運転することにより、利用者の利便性を大きく低下させることなく、ドア開閉診断を効率よく実行することができる。
【００３５】
また、上述した実施形態では、ドア開閉診断運転において、各乗りかごを最上階に向かって上方向に１階床ずつ移動させ、最上階に到達すると最下階まで直行で移動させ、さらに開始した階床まで上方向に１階床ずつ移動させつつ診断を実行する場合について説明した。この方向とは逆に、各乗りかごを最下階に向かって下方向に１階床ずつ移動させ、最下階に到達すると最上階まで直行で移動させ、さらに開始した階床までした方向に１階床ずつ移動させつつ診断を実行するようにしてもよい。
【００３６】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００３７】
１…遠隔診断システム、１０…監視センタ装置、２０…遠隔監視装置、３０，３０−１〜３０−４…エレベータ、３１−１〜３１−４…巻上げ機、３２−１〜３２−４…乗りかご、３３，３３−１〜３３−４…エレベータ制御装置、４１，４１−１〜４１−７，４２−１〜４２−７，４３−１〜４３−７…乗場操作盤、５０…群管理装置、５１…待機階情報保持部、５２…診断運転情報保持部、５３…かご位置情報取得部、５４…乗場呼び登録部、５５…運転モード切替部、５６…応答かご決定部、５７…運転指令部、３２１−１〜３２１−４…かごドア
【図１】
2019104610.tif 000003
【図２】
2019104610.tif 000004
【図３】
2019104610.tif 000005
【図４】
2019104610.tif 000006